(57)【特許請求の範囲】
【請求項１】
主光源発振回路の発振パルスにより主光源を間欠駆動してチャンバ内の検煙空間に向けて光を照射する主光源発光部と、
前記主光源からの光が前記検煙空間に存在する煙に反射して生ずる散乱光を受光する受光部と、
前記受光部で得られた受光信号が予め設定した閾値を越えた際にカウントし、所定数のカウントで信号を出力するカウンタ回路と、
前記カウンタ回路が信号を出力しているあいだスイッチングし、火災信号を一対の電源兼用信号線を介して外部に送出する自己復旧型の火災信号出力回路と、
を備えた光電式煙感知器に於いて、
前記一対の電源兼用信号線を介して外部から試験指示を受信して試験信号を出力する遠隔試験インタフェース回路と、
前記主光源発振回路と非同期で且つ短い周期をもつ試験発振回路の発振パルスにより試験光源を間欠駆動して前記受光部に向けて試験光を照射する試験発光部と、
前記遠隔試験インタフェース回路からの試験信号により前記試験発光部を動作し、前記試験光源の間欠駆動による前記受光部からの受光信号の所定数のカウントで前記カウンタ回路から信号を出力させ、前記火災信号送出回路から試験による火災信号を前記試験器に送出させる試験制御回路と、
を備え、
更に、前記カウンタ回路は、
前記所定数のカウント分の複数のラッチ回路を順次接続し、前記受光信号を初段のラッチ回路の入力端子に入力し、最終段のラッチ回路の出力は前記火災信号送出回路に入力され、前記複数のラッチ回路は前記試験光源の発振パルスに同期して前記入力端子の信号状態をラッチして出力信号状態とし次段のラッチ回路に出力し、最終段のラッチ回路は前記火災信号送出回路に信号出力を出力すると共に前段のラッチ回路のラッチをクリアする複数段のラッチ回路と、
前記ラッチ回路同士の間に設け、ラッチ回路の出力を前記試験発光部の発光周期時間よりも長い時間遅延して次段のラッチ回路の入力端子及びクリア端子に出力する遅延部と、
を備えたことを特徴とする光電式煙感知器。
【請求項２】
請求項１記載の光電式煙感知器に於いて、
前記カウンタ回路は、
前記受光信号をデータ入力端子Ｄに入力し、前記試験光源の発振パルスに同期してデータ入力端子Ｄの信号状態をラッチして出力端子Ｑの信号状態とする第１Ｄ−ＦＦと、
前記第１Ｄ−ＦＦの出力端子Ｑをデータ入力端子Ｄに接続すると共に出力端子Ｑを前記火災信号送出回路に入力接続し、前記試験光源の発振パルスに同期してデータ入力端子Ｄの信号状態をラッチして出力端子Ｑの信号状態とする第２Ｄ−ＦＦと、
前記第１Ｄ−ＦＦの出力端子Ｑの出力信号を前記試験発光部の発光周期時間よりも長い時間遅延して前記第２Ｄ−ＦＦのデータ入力端子Ｄ及びクリア端子ＣＬＲに印加する第１遅延部と、前記第２Ｄ−ＦＦの反転出力端子Ｑ＊の出力信号を所定時間遅延して前記第１Ｄ−ＦＦのクリア端子ＣＬＲに印加する第２遅延部と、
を設けたことを特徴とする光電式煙感知器。
【請求項３】
請求項２記載の光電式煙感知器に於いて、
前記第１遅延部は、第１Ｄ−ＦＦの出力端子Ｑと第２Ｄ−ＦＦのデータ入力端子Ｄ及びクリア端子ＣＬＲを結ぶ接続ラインに第１抵抗と第２抵抗を直列接続すると共に該２つの抵抗の間と前記第２Ｄ−ＦＦの出力端子Ｑとの間に第１コンデンサを接続し、
前記第２遅延部は、第２Ｄ−ＦＦの反転出力端子Ｑ＊と第１Ｄ−ＦＦのクリア端子ＣＬＲとの間の接続ラインに第３抵抗と第４抵抗を直列接続すると共に該２つの抵抗の間と接地間に第２コンデンサを接続したことを特徴とする光電式煙感知器。
【請求項４】
請求項１記載の光電式煙感知器に於いて、更に、
前記主光源の近傍に配置され、主光源からの光を受光して監視受光信号を出力する監視用受光部と、
前記監視用受光部からの監視受光信号が間欠的に得られている状態で前記試験制御回路による試験制御を許容し、前記監視受光信号が得られなくなった状態で前記試験制御回路による試験制御を禁止する主光源発光監視回路と、
を設けたことを特徴とする光電式煙感知器。
【請求項５】
請求項４記載の光電式煙感知器に於いて、前記監視用受光部は、前記主光源に近接配置されたフォトトランジスタであることを特徴とする光電式煙感知器。
【発明の詳細な説明】
【０００１】
【発明の属する技術分野】
本発明は、外部接続された試験器を使用して遠隔試験ができる光電式煙感知器に関し、特に、２線式で遠隔試験ができ且つ火災を検出している間だけ火災信号を送出する自己復旧型の光電式煙感知器に関する。
【０００２】
【従来の技術】
従来、遠隔試験ができる光電式煙感知器としては、例えば特開平８−１７１６８６号の煙感知器が知られている。
【０００３】
この煙感知器は、電源兼用信号線として設けた信号線とコモン線に加え、別途、作動試験線を設けた３線式となっている。また、この煙感知器は、自己保持型である。自己保持型の煙感知器は、一度火災を検出するとサイリスタをオンして火災信号を送出し、受信機側で電源供給を遮断する復旧操作が行われるまで火災信号を送出し続ける。
【０００４】
このため感知器回線に接続している複数の煙感知器を順番に遠隔試験する場合、試験器から作動試験信号で感知器を試験発報させた後に復旧させ、これを感知器毎に繰り返すようになる。
【０００５】
また特開平８−１７１６８６号の煙感知器は、Ｄ型フリップフロップ（以下「Ｄ−ＦＦ」という）を２段接続したカウンタ回路（蓄積回路）を備えており、発振パルスにより主光源ＬＥＤを間欠発光し、その光が煙の粒子に反射して生ずる散乱光を受光素子で受光し、所定閾値以上の受光信号が発振パルスに同期して２つ連続した２カウントでカウンタ信号を出力してサイリスタをオンし、火災信号を送出している。
【０００６】
遠隔試験の際には、外部の試験器から試験信号を受けると、試験発振回路の発振パルスにより試験光源ＬＥＤを主光源ＬＥＤより短い周期で非同期に間欠駆動して受光素子に直接試験光を照射し、主光源ＬＥＤの場合と同様、所定閾値以上の受光信号が発振パルスに同期して２つ連続した２カウントでカウンタ信号を出力してサイリスタをオンし、試験による火災信号を試験器に送出し、試験結果を表示させている。
【０００７】
【発明が解決しようとする課題】
このような従来の煙感知器の自己保持型に対し、自己復旧型の煙感知器が知られている。自己復旧型の煙感知器は、火災を検出している間だけトランジスタ等のスイッチング素子をオンして火災信号を送出し、火災が検出されなくなるとトランジスタがオフに戻り、火災信号の送出を停止する。
【０００８】
しかしながら、自己復旧型の煙感知器について試験光源ＬＥＤを主光源ＬＥＤとは非同期に短い周期で間欠発光して遠隔試験を行った場合、カウンタ回路は試験発光による受光信号のカウント動作と、主光源の発光に同期した煙なしの受光信号によるリセット動作を同時に受ける。
【０００９】
このため試験発光と主光源発光のタイミングによっては、試験が正常にできない場合がある。例えば、試験発光のカウンタ出力の直後に主光源の発光によるカウンタリセットがかかると、トランジスタが極く短時間しかオンせず、試験器で所定時間幅を越える火災信号が得られないため、感知器異常と誤判定してしまう問題がある。
【００１０】
また煙感知器に専用の試験光源ＬＥＤを設けて受光素子に試験光を照射させることは一般的に行なわれているが、この場合、主光源ＬＥＤが故障していても、正常な試験結果が得られるため、正常と誤判断されてしまう。
【００１１】
そこで特開平８−１７１６８６号では、主光源ＬＥＤの発光によるチャンバ内の乱反射光を受光部で受光し、その受光信号を増幅部で増幅して規定レベル以上あることを監視し、規定レベル以上の増幅信号が得られない場合は機能異常信号を出力し、試験動作を禁止させている。
【００１２】
しかしながら、チャンバ内の乱反射光は極めて微弱であり、監視に必要なレベルに増幅するためには高利得増幅が必要であり、回路構成が複雑で安定性に欠ける問題がある。
【００１３】
更に、特開平８−１７１６８６号の煙感知器は、一対の電源兼用信号線として設けた信号線とコモン線に加え、別途、作動試験線を必要とし、３線式となっている。しかし、通常の感知器回線は２線式であり、遠隔試験のために３線式とすることは設備コストが高くなり、また既設の感知器回線に遠隔試験機能付き煙感知器が使用できず、２線式で遠隔試験のできる煙感知器が望まれている。
【００１４】
本発明は、このような従来の問題点に鑑みてなされたもので、２線式で且つ自己復旧型について遠隔試験が適切にできるようにした光電式煙感知器を提供することを目的とする。
【００１５】
【課題を解決するための手段】
この目的を達成するため本発明は次のように構成する。まず本発明の光電式感知器は、２線式であり、且つ自己復旧型である。即ち、本発明の光電式煙感知器は、主光源発振回路の発振パルスにより主光源を間欠駆動してチャンバ内の検煙空間に向けて光を照射する主光源発光部と、主光源からの光が検煙空間に存在する煙に反射して生ずる散乱光を受光する受光部と、受光部で得られた受光信号が予め設定した閾値を越えた際にカウントし、所定数のカウントで信号を出力するカウンタ回路（蓄積回路）と、カウンタ回路が信号を出力しているあいだスイッチングし、火災信号を一対の電源兼用信号線を介して外部に送出する自己復旧型の火災信号出力回路と備える。
【００１６】
このような２線式で且つ自己復旧型の光電式煙感知器につき、本発明にあっては、一対の電源兼用信号線を介して外部の試験器からの試験指示を受信して試験信号を出力する遠隔試験インタフェース回路と、主光源発振回路と非同期で且つ短い周期をもつ試験発振回路の発振パルスにより試験光源を間欠駆動して受光部に向けて試験光を照射する試験発光部と、遠隔試験インタフェース回路からの試験信号により試験発光部を動作し、試験光源の間欠駆動による受光部からの受光信号の所定数のカウントでカウンタ回路から信号を出力させ、火災信号送出回路から試験による火災信号を試験器に送出させる試験制御回路とを備え、更に、カウンタ回路は、所定数のカウント分の複数のラッチ回路を順次接続し、受光信号を初段のラッチ回路の入力端子に入力し、最終段のラッチ回路の出力は火災信号送出回路に入力され、複数のラッチ回路は試験光源の発振パルスに同期して入力端子の信号状態をラッチして出力信号状態とし次段のラッチ回路に出力し、最終段のラッチ回路は火災信号送出回路に信号出力を出力すると共に前段のラッチ回路のラッチをクリアする複数段のラッチ回路と、ラッチ回路同士の間に設け、ラッチ回路の出力を試験発光部の発光周期時間よりも長い時間遅延して次段のラッチ回路の入力端子及びクリア端子に出力する遅延部とを備えたことを特徴とする。
【００１７】
このように本発明は、２線式で光電式煙感知器の遠隔試験ができるため、従来の３線式の遠隔試験機能付きの煙感知器に比べ、感知器を使用する火災報知設備の設備コストを低減でき、また既設の２線式の火災報知設備についても、試験のための中継器を新たに付けるだけで簡単に本発明の遠隔試験機能付きの光電式煙感知器に置き換えることができる。
【００１８】
本発明の光電式煙感知器のカウンタ回路は、第１Ｄ−ＦＦ、第２Ｄ−ＦＦ、第１遅延部及び第２遅延部で構成される。第１Ｄ−ＦＦは、受光信号をデータ入力端子Ｄに入力し、試験光源の発振パルス（クロック入力）に同期してデータ入力端子Ｄの信号状態をラッチして出力端子Ｑの信号状態とする。第２Ｄ−ＦＦは、第１Ｄ−ＦＦの出力端子Ｑをデータ入力端子Ｄに接続すると共に出力端子Ｑを火災信号送出回路に入力接続し、試験光源の発振パルスに同期してデータ入力端子Ｄの信号状態をラッチして出力端子Ｑの信号状態とする。
【００１９】
第１遅延部は、第１Ｄ−ＦＦの出力端子Ｑの出力信号（Ｈレベル又はＬレベルへの反転）を試験発光部の発光周期時間よりも長い時間遅延して第２Ｄ−ＦＦのデータ入力端子Ｄ及びクリア端子ＣＬＲに印加する。第２遅延部は、第２Ｄ−ＦＦの反転出力端子Ｑ＊の出力信号（Ｈレベル又はＬレベルへの反転）を所定時間遅延して第１Ｄ−ＦＦのクリア端子ＣＬＲに印加する。尚、Ｄ−ＦＦの反転出力は明細書ではＱの後に「＊」を付けて表わす。これに対し図面中では、Ｑの上に「−」を通常通り付している。
【００２０】
ここで、第１遅延部は、第１Ｄ−ＦＦの出力端子Ｑと第２Ｄ−ＦＦのデータ入力端子Ｄ及びクリア端子ＣＬＲを結ぶ接続ラインに第１抵抗と第２抵抗を直列接続すると共に、この２つの抵抗の間と第２Ｄ−ＦＦの出力端子Ｑとの間に第１コンデンサを接続する。
【００２１】
また第２遅延部は、第２Ｄ−ＦＦの反転出力端子Ｑ＊と第１Ｄ−ＦＦのクリア端子ＣＬＲとの間の接続ラインに第３抵抗と第４抵抗を直列接続すると共に、この２つの抵抗の間と接地間に第２コンデンサを接続する。
【００２２】
このような遅延機能付きのカウンタ回路により、最初の試験発振パルスに同期して第１Ｄ−ＦＦが受光信号の１カウントを行なって出力ＱをＨレベルに反転すると、第１遅延部により試験発光部の発光周期時間よりも長い時間遅延されて第２Ｄ−ＦＦのデータ入力端子ＤがＨレベルとなり、例えば３つ目の試験発振パルスに同期して第２Ｄ−ＦＦの出力ＱがＨレベルに反転して２カウントに基づく信号を出力し、トランジスタのオンにより火災信号を送出する。
【００２３】
２カウントに基づく第２Ｄ−ＦＦの出力ＱがＨレベルに反転すると、同時に反転出力Ｑ＊がＬレベルに反転し、これによって第２遅延部が第１Ｄ−ＦＦのクリア端子ＣＬＲへの印加を所定時間遅延してクリアする。この結果、第２遅延部による第１Ｄ−ＦＦのクリア遅延時間に、第１遅延部による第２Ｄ−ＦＦのクリア遅延時間を加えた時間幅Ｔをもつ試験用の火災信号を送出する。
【００２４】
このため主光源の発光タイミングが２つ目の試験発光パルスの直後の位置にあっても、このとき第１遅延部によって第２Ｄ−ＦＦは１カウントと２カウントの途中にあり、火災信号は送出していないので、主発光パルスによりカウンタリセットが掛っても、火災信号に影響はでない。
【００２５】
また主発光パルスによるカウンタ回路のリセットで、試験発光パルスの２カウントのやり直しとなるが、このとき第１遅延部による遅延は途中から行われるため、２つの試験発光パルスに同期した２カウントでカウンタ出力が得られて火災信号を送出できる。
【００２６】
従って、火災検出が行われている間だけ外部に火災信号を出力する自己復旧型の光電式煙感知器について、通常の火災監視に使用する主光源の発光タイミングと非同期に遠隔試験のための試験発光を行っても、問題なく所定の試験発光回数で試験器側で十分識別可能な時間幅を持つ火災信号を試験結果として送出することができ、試験発光に対する主発光パルスのタイミングによって外部の試験器で識別できないような火災信号を試験結果として出力してしまう問題を防止し、信頼性の高い遠隔試験ができる。
【００２７】
更に、本発明の光電式煙感知器は、発光部の主光源の近傍に配置され、主光源からの光を受光して監視受光信号を出力する監視用受光部と、監視用受光部からの監視受光信号が間欠的に得られている状態で試験制御回路による試験制御を許容し、監視受光信号が得られなくなった状態で試験制御回路による試験制御を禁止する主光源発光監視回路とを設けたことを特徴とする。この監視用受光部は、主光源に近接配置された例えばフォトトランジスタである。
【００２８】
このように主光源の近傍にその光を直接検出するフォトトランジスタ等の十分に受光信号が得られる受光素子を配置したことで、従来のようなチャンバ内の乱反射光の受光信号の増幅による監視といった複雑な回路を必要とせず、簡単に主光源の状態を検出し、もし主光源に異常があれば試験動作を禁止して誤った試験結果が出ることを防止する。
【００２９】
【発明の実施の形態】
図１は本発明の光電式煙感知器が使用される火災報知システムのブロック図であり、遠隔試験のために試験器を接続した状態で表している。
【００３０】
図１において、受信機１から引き出された信号線ＳＬとコモン線ＳＣに対しては中継器２が接続され、中継器２より信号線３ａとコモン線３ｂでなる一対の電源兼用信号線が引き出され、この信号線３ａとコモン線３ｂに本発明による複数の光電式煙感知器４ａ〜４ｎを接続している。また終端には断線監視用の終端器５が接続される。
【００３１】
試験器６は中継器２に接続される。中継器２にはリレー接点Ｌｙが設けられ、試験器６からの操作信号により中継器２のリレー（図示せず）を動作してリレー接点Ｌｙを試験器６側に切り替えることで遠隔試験を行う。このリレー接点Ｌｙの試験器６側への切替えにより、試験器６、中継器２及び光電式煙感知器４ａ〜４ｎとなる試験用の回線ループに切り替わる。
【００３２】
試験器６で試験操作を行うと、試験コマンドが送出され、光電式煙感知器４ａ〜４ｎの遠隔試験を順番に行う。試験器６からの試験コマンドは、感知器固有のアドレスを指定して試験を行わせる固有アドレス方式、または全ての感知器に共通な共通アドレスを指定し、感知器側でコマンド受信から異なる遅延時間を定めてそれぞれの遅延時間後に遠隔試験を行う共通アドレス方式等が適用できる。
【００３３】
試験器６からの遠隔試験の試験コマンドにより火災感知器４ａ〜４ｎに予め割り当てられたアドレス例えばＮｏ．１〜Ｎｏ．ｎの順番に遠隔試験が行われると、各感知器で遠隔試験が行われるごとに、正常な場合には火災信号が送出され、この火災信号を試験器６で受信し、全ての感知器試験が終了した時点で試験結果を表示する。
【００３４】
中継器２からの信号線３ａとコモン線３ｂに接続される光電式煙感知器４ａ〜４ｎの数は任意であるが、例えば最大１６台が設置できる。試験器６は遠隔試験の際には、感知器回線に接続されている感知器台数を設定することで、先頭の感知器から最後の感知器まで順番に遠隔試験を行うことができる。
【００３５】
図２は図１の試験器６の説明図である。試験器６は携帯可能な機器であり、図示のように、その表面のパネル上に、実行スイッチ７、７セグメント表示を２つ用いた表示部８、通常試験表示灯９、試験結果表示灯１０及び選択スイッチ１１を設けている。
【００３６】
図１のように中継器２に試験器６を接続した状態で例えば選択スイッチ１１により遠隔試験を行う感知器台数をセットし、実行スイッチ７を押すと遠隔試験が開始される。遠隔試験中は通常試験表示灯９が点灯から点滅に変わっており、試験終了で点灯に戻る。
【００３７】
全ての感知器の試験結果が正常であれば、試験結果表示灯１０が例えば緑色に点灯する。これに対し１又は複数台の火災感知器に異常があった場合には、試験結果表示灯１０が赤色に点灯する。このため試験結果表示灯１０としては、例えば２色ＬＥＤを使用している。
【００３８】
試験結果表示灯１０で異常表示が行われた場合には、表示部８に感知器番号が表示される。この場合、２以上の感知器で異常があった場合には選択スイッチ１１を押すことで、異常を起こした感知器番号を切替表示することができる。
【００３９】
図３は、図１の遠隔試験機能を備えた本発明による光電式煙感知器の実施形態を示したブロック図である。
【００４０】
図３において、本発明の光電式煙感知器は、通常の火災感知のための回路部と遠隔試験の回路部とに分かれる。通常の火災感知の回路部としては、整流・ノイズ吸収回路１５、３ボルト定電圧回路１７、火災信号出力回路１８、定電圧電流制限回路１９、主光源駆動回路２０、主光源ＬＥＤ２１、受光信号増幅回路２２、フォトダイオードを用いた受光素子２３、カウンタ回路２４、主光源発振回路２５を備える。
【００４１】
これに対し遠隔試験のための回路として、遠隔試験インタフェース回路１６、試験制御回路２６、試験光源発振回路２７、試験光源駆動回路２８、試験光源ＬＥＤ２９、主光源発光監視回路３０、更にカウンタ回路２４に対し発振パルスに同期したクロックを供給するオア回路３２が設けられる。
【００４２】
図４は本発明の光電式煙感知器の感知器構造の平面図である。図４において、感知器本体３３の内部には検煙領域３６が設けられる。検煙領域３６は、その周囲の円筒状の周壁に流入口を備え且つ内側にラビリンス構造を備えている。この検煙領域３６には発光部３４と受光部３５が設けられている。
【００４３】
図５は図４の発光部３４と受光部３５を取り出して内部構造を断面で示している。図５において、発光部３４には主光源ＬＥＤ２１が収納されており、光軸方向に煙検出のための光を間欠的に照射している。発光部３４の光軸に対し交叉角７０°の光軸をもって受光部３５が配置され、受光部３５には受光素子２３が収納されている。
【００４４】
このため、主光源ＬＥＤ２１からの光は検煙領域に流入している煙の粒子に当たって反射し、反射により得られた散乱光が受光素子２３で受光されて受光信号として出力される。
【００４５】
遠隔試験に使用する試験光源ＬＥＤ２９は、受光部３５に収納している受光素子２３の受光面の側方に配置されている。このため遠隔試験により試験光源ＬＥＤ２９を発光すると、その光が受光素子２３に直接照射され、試験のための受光信号を得ることができる。
【００４６】
また発光部３４には、主光源ＬＥＤ２１が正常に発光しているかどうかを監視するための監視受光素子としてフォトトランジスタ３１を設けている。フォトトランジスタ３１は、発光部３４に収納している主光源ＬＥＤ２１の発光面の光軸を外れた側方の近接した位置に配置されており、主光源ＬＥＤ２１からの光を直接受光して、十分なレベルを持った監視用の受光信号を検出するようにしている。
【００４７】
図６は図４のＡ−Ａ断面である。図６において、発光部３４には主光源ＬＥＤ２１が収納され、その先端側の上部側方の近接した位置に監視用受光素子としてのフォトトランジスタ３１を配置している。また受光部３５には受光素子２３が収納され、その側方に試験光源ＬＥＤ２９が配置されている。
【００４８】
ここで図３について、通常の火災監視時の動作を簡単に説明する。図１に示した受信機１から中継器２を介して信号線Ｌ及びコモン線Ｃ間に規定の直流電源電圧が供給されており、整流・ノイズ吸収回路１５を介して感知器内部に電源が供給されている。
【００４９】
これによって主光源発振回路２５が動作し、周期Ｔ１期でパルス幅ｔ１の発振パルスを主光源駆動回路２０に出力して主光源ＬＥＤ２１を間欠的に発光している。この主光源発振パルスの周期Ｔは例えばＴ１＝２．５ｓｅｃであり、パルス幅ｔ１はｔ１＝４０μｓｅｃである。
【００５０】
主光源ＬＥＤ２１の発光による光は、図５の散乱光式の検煙構造から明らかなように検煙領域に照射され、このとき煙が流入していれば煙粒子に当たって反射し、散乱光が受光素子２３に入射する。受光素子２３で受光した散乱光による受光信号は受光信号増幅回路２２で増幅された後、カウンタ回路２４に入力される。
【００５１】
カウンタ回路２４は後の説明で明らかにするように、Ｄ−ＦＦを２つ備えることで主光源発振パルスの２カウントでカウンタ出力端子ＱをＨレベルとする。このためカウンタ回路２４に対しては、主光源駆動回路２０よりオア回路３２を介して主光源発振パルスがクロック信号としてクロック端子ＣＫに与えられている。
【００５２】
カウンタ回路２４が２カウントで出力端子ＱをＨレベルとすると、このＨレベル出力は火災信号出力回路１８に入力され、内蔵しているスイッチング用のトランジスタをオンし、信号線Ｌからコモン線Ｃに発報電流を流すことで火災信号を受信機１側に送出する。
【００５３】
火災が鎮火して煙の流入がなくなると、受光信号増幅回路２２からの受光信号はＬレベルとなり、このためカウンタ回路２４の出力端子ＱはＨレベルからＬレベルに戻り、これによって火災信号出力回路１８もオフとなって火災信号の送出を停止する。
【００５４】
図７は、図３について遠隔試験のために必要な回路ブロックの具体例を示した回路ブロック図である。
【００５５】
図７は、火災信号出力回路１８、主光源駆動回路２０、カウンタ回路２４、試験制御回路２６、主光源発光監視回路３０及び試験光源発振回路２７の回路構成を示しており、遠隔試験インタフェース回路１６、受光信号増幅回路２２、主光源発振回路２５及び試験光源駆動回路２８は、図３と同様、回路ブロックで表わしており、それ以外の回路は省略している。
【００５６】
図７において、まず主光源発振回路２５は例えば周期Ｔ１＝２．５ｓｅｃでパルス幅ｔ１＝４０μｓｅｃのパルスを発振して主光源駆動回路２０に供給している。主光源駆動回路２０は電解コンデンサＣ４、トランジスタＱ４，Ｑ５、主光源ＬＥＤ２１、抵抗Ｒ７〜Ｒ１２、及びダイオードＤ１０で構成される。
【００５７】
感知器に電源が供給されると、図３に示している定電圧電流制限回路１９からの出力は電解コンデンサＣ４を徐々に充電し、この端子間電圧は約１０〜１５秒後で正常な監視電圧に達する。
【００５８】
主光源発振回路２５からの発振パルスは、抵抗Ｒ１２を介してトランジスタＱ５にベース電流を供給し、これによってトランジスタＱ５がオンし、同時にトランジスタＱ４にも抵抗Ｒ１０、ダイオードＤ１０を介してベース電流が流れてオンする。このトランジスタＱ５，Ｑ４のオンによって電解コンデンサＣ４の充電電荷がトランジスタＱ４のエミッタ側に接続している主光源ＬＥＤ２１、抵抗Ｒ８のループで流れ、主光源ＬＥＤ２１を駆動してパルス光を検煙領域に出力する。
【００５９】
カウンタ回路２４は、受光信号増幅回路２２から煙を感知した状態で閾値を越える受光信号が２回連続して出力されたときに、火災信号出力回路１８を動作して火災信号を送出させる回路である。
【００６０】
このためカウンタ回路２４は、Ｄ−ＦＦ３７，３８、抵抗Ｒ１３〜Ｒ１６、コンデンサＣ８，Ｃ９、ダイオードＤ４〜Ｄ７で構成される。Ｄ−ＦＦ３７，３８は、データ入力端子Ｄ、出力端子Ｑ、反転出力端子Ｑ＊、クロック端子ＣＫ及びクリア端子ＣＬＲを備える。
【００６１】
Ｄ−ＦＦ３７，３８は、電源投入時、Ｄ−ＦＦ３７のクリア端子ＣＬＲがＬレベルとなることでクリアされ、それぞれの出力端子ＱをＬレベル、反転出力端子Ｑ＊をＨレベルとしている。
【００６２】
Ｄ−ＦＦ３７のクリア端子ＣＬＲがＨレベル状態で通常の監視状態にあり、且つクロック端子ＣＫにクロックが与えられると、データ入力端子Ｄの信号状態であるＨレベルをラッチし、出力端子ＱをＬレベルからＨレベルに反転し、同時に反転出力端子Ｑ＊をＨレベルからＬレベルに反転させる。
【００６３】
Ｄ−ＦＦ３７のラッチ動作によりＤ−ＦＦ３８のデータ入力端子Ｄおよびクリア端子ＣＬＲはＨレベルとなり、Ｄ−ＦＦ３８は次のクロック入力時にデータ入力端子ＤがＨレベルであれば前述したＤ−ＦＦ３７と同様に出力端子ＱはＬレベルからＨレベル、反転出力端子Ｑ＊はＨレベルからＬレベルとなり、出力端子ＱのＨレベル信号は火災信号出力回路１８を駆動する。
【００６４】
カウンタ回路２４において、前段のＤ−ＦＦ３７のデータ入力端子Ｄに受光信号増幅回路２２の出力が接続され、出力端子Ｑは第１遅延部３９の抵抗Ｒ１３，Ｒ１４を介して２段目のＤ−ＦＦ３８のデータ入力端子Ｄに接続されている。２段目のＤ−ＦＦ３８の出力Ｑは火災信号出力回路１８に接続される。
【００６５】
第１遅延部３９は、抵抗Ｒ１３，Ｒ１４とコンデンサＣ８で構成される。具体的には、抵抗Ｒ１３とＲ１４をＤ−ＦＦ３７の出力ＱとＤ−ＦＦ３８のデータ入力端子Ｄとを結ぶラインに挿入し、抵抗Ｒ１３とＲ１４の間からＤ−ＦＦ３８の出力Ｑからの出力ラインとの間にコンデンサＣ８を接続している。
【００６６】
このため第１遅延部３９は、前段のＤ−ＦＦ３７の出力ＱがＬレベルからＨレベルに反転した場合、その時定数τ４による遅延時間後に２段目のＤ−ＦＦ３８のデータ入力端子Ｄの信号レベルをＨレベルとする。
【００６７】
またカウンタ回路２４には第２遅延部４０が設けられ、第２遅延部４０は抵抗Ｒ１５，Ｒ１６及びコンデンサＣ９で構成される。この第２遅延部４０は２段目のＤ−ＦＦ３８の反転出力Ｑ＊から１段目のＤ−ＦＦ３７のクリア端子ＣＬＲに対する接続ラインに抵抗Ｒ１５，Ｒ１６を直列に挿入接続しており、抵抗Ｒ１５とＲ１６の間とコモン線側にコンデンサＣ９を接続している。
【００６８】
このため第２遅延部４０は、カウンタ回路２４の受光信号の連続した２カウントで２段目のＤ−ＦＦ３８の出力ＱがＨレベルとなって火災信号の送出を行わせたとき、同時に反転Ｑ＊出力がＨレベルからＬレベルになるが、このＬレベルへの変化を第２遅延部４０の時定数τ５だけ遅延させて１段目のＤ−ＦＦ３７のクリア端子ＣＬＲに加えることで、カウンタ出力後のクリア動作を遅延させている。
【００６９】
ここで第１遅延部３９の時定数τ４と第２遅延部４０の時定数τ５は略同じ値とする。また第２遅延部４０に対する試験制御回路２６側からの接続ラインに設けたダイオードＤ５は、遠隔試験時にＤ−ＦＦ３７のクリア禁止を解除するために使用される。
【００７０】
更にカウンタ回路２４に設けているＤ−ＦＦ３７のクロック端子ＣＫに対するクロックは、ダイオードＤ６またはＤ７を介して供給される。ダイオードＤ７は主光源駆動回路２０の駆動信号をクロックとしてＤ−ＦＦ３７，３８に供給する。またダイオードＤ６は試験光源駆動回路２８からの駆動信号を同じくＤ−ＦＦ３７，３８に供給する。このため、主光源発光駆動と試験光源発光駆動の両方からクロックを受けることになる。即ち、ダイオードＤ６，Ｄ７は、図３に示したオア回路３２を構成している。
【００７１】
次に火災信号出力回路１８を説明する。火災信号出力回路１８はダーリントン接続されたトランジスタＱ１，Ｑ２、作動表示灯ＬＥＤ１、ツェナダイオードＺＤ１，ＺＤ２、抵抗Ｒ１〜Ｒ３で構成される。火災検出時にカウンタ回路２４のＤ−ＦＦ３８の出力ＱがＨレベルになり、これによって抵抗Ｒ３からトランジスタＱ２にベース電流が流れ、トランジスタＱ２，Ｑ１がオンし、信号線Ｌからコモン線Ｃに発報電流を流すことで火災信号を送出する。
【００７２】
このとき発報電流により作動表示灯ＬＥＤ１が点灯して火災検出を知らせる。作動表示灯ＬＥＤ１と抵抗Ｒ１の直列回路に流れる電流は、その両端に接続されたツェナダイオードＺＤ１により作動表示灯ＬＥＤ１に流れる最大電流が制限される。
【００７３】
遠隔試験インタフェース回路１６は、図１に示した試験器６からの試験コマンドの受信により、試験制御回路２６に対し試験信号Ｅ１を一定期間Ｔ０例えばＴ０＝１２０ｍｓｅｃの間出力する。
【００７４】
試験光源発振回路２７は、ＮＡＮＤシュミットトリガ４１、抵抗Ｒ３７，Ｒ３８、コンデンサＣ１８、ダイオードＤ９及びノイズ防止を兼ねた遅延用コンデンサＤ４０で構成される。試験光源発振回路２７はＮＡＮＤシュミットトリガ４１に対する試験制御回路２６側からの入力がＬレベルのとき発振動作を停止しており、Ｈレベルとなると発振動作を開始する。
【００７５】
この場合の試験発振パルスは、例えば周期Ｔ２＝８ｍｓ、パルス幅ｔ２＝１０μｓであり、主光源発振回路２５の主光源発振パルスの周期Ｔ１＝２．５ｓに対し十分短い周期とすることで試験動作を短時間でできるようにしている。試験光源発振回路２７からの発振パルスは試験光源駆動回路２８に入力され、負荷として接続している試験光源ＬＥＤ２９に抵抗Ｒ４７を介して駆動電流を流すことで発光駆動している。
【００７６】
主光源発光監視回路３０は、フォトトランジスタ３１、抵抗Ｒ３９〜Ｒ４２、ＦＥＴ４２、ダイオードＤ８、コンデンサＣ１９、ＮＡＮＤシュミットトリガ４３で構成される。その回路機能は主光源ＬＥＤ２１が発光停止状態のときには外部の試験器６からの遠隔試験の信号処理を禁止する。
【００７７】
主光源発光監視回路３０は、通常監視において主光源ＬＥＤ２１が発光した時、図５のように、その近傍に配置されているフォトトランジスタ３１がオンする。フォトトランジスタ３１がオンすると抵抗Ｒ４１，Ｒ４２の分圧電圧をＦＥＴ４２のゲートＧに供給し、ＦＥＴ４２のオンにより抵抗Ｒ３９を介してコンデンサＣ１９の充電電荷を放電させる。このためＮＡＮＤシュミットトリガ４３の入力はＬレベルとなり、その出力はＨレベルとなっている。
【００７８】
続いて主光源ＬＥＤ２１が再び発光するまでの間、コンデンサＣ１９は抵抗Ｒ４０を介して充電されることで端子間電圧は僅かに上昇するが、再び主光源ＬＥＤ２１の発光で放電される動作を繰り返す。このため、主光源ＬＥＤ２１が正常に発光しているときにはＮＡＮＤシュミットトリガ４３の入力はＬレベルを維持し、この結果出力はＨレベル状態にあり、試験制御回路２６側の抵抗Ｒ３２及びカウンタ回路２４側のダイオードＤ５を介して、カウンタ回路２４に設けているＤ−ＦＦ３７のクリア端子ＣＬＲをＨレベルとしてクリアの禁止状態とする。
【００７９】
一方、主光源ＬＥＤ２１が発光を停止したときには、コンデンサＣ１７は抵抗Ｒ４０を介して充電され続けることとなり、コンデンサＣ１９の端子間電圧は上昇し、ＮＡＮＤシュミットトリガ３２の出力をＬレベルに反転させる。
【００８０】
この結果、後述する試験制御回路２６のトランジスタＱ９のエミッタ側電圧が０ボルトとなり、遠隔試験による遠隔試験インタフェース回路１６からの試験信号Ｅ１に対する応答ができなくなることで試験動作を禁止する。このため、外部の試験器側で試験コマンドを送っても試験による火災信号が送出されないことで、その感知器の故障を確認できる。
【００８１】
次に試験制御回路２６を説明する。試験制御回路２６は感知器を遠隔試験するための回路であり、外部の試験器からの試験コマンドを受信した遠隔試験インタフェース回路１６より出力される試験信号Ｅ１に基づいて試験動作を行う。即ち試験信号Ｅ１が得られると、試験光源発振回路２７、試験光源駆動回路２８を動作して、試験光源ＬＥＤ２９から試験光を受光素子２３に照射し、煙を検出した場合と同様な動作で発報させ、試験器６に火災信号を送出する。
【００８２】
まず通常監視状態のとき、主光源発光監視回路３０のＮＡＮＤシュミットトリガ４３の出力は、主光源ＬＥＤ２１が正常に動作していればＨレベルにある。この状態で外部の試験器からの試験コマンドに対し遠隔試験インタフェース回路１６が試験信号Ｅ１としてＨレベル出力を行うと、トランジスタＱ８に抵抗Ｒ３０を介してベース電流が流れ、トランジスタＱ８がオンする。このトランジスタＱ８のオンによって、カウンタ回路２４のダイオードＤ５によるクリア禁止を解除する。
【００８３】
またトランジスタＱ８のオンにより、トランジスタＱ９にも抵抗Ｒ３４、コンデンサＣ１６を介してベース電流が流れ、トランジスタＱ９が時定数τ３で決まる所定時間τ３の間、オンとなる。ここでトランジスタＱ９、抵抗Ｒ３４及びコンデンサＣ１６によってタイマ４４が構成される。
【００８４】
トランジスタＱ９がオンすると、そのコレクタ側に接続した抵抗Ｒ３５に電流が流れることで、抵抗Ｒ３６及びコンデンサＣ４０で構成される遅延回路を介して試験光源発振回路２７に設けているＮＡＮＤシュミットトリガ４１の入力をＨレベルとし、試験発振パルスの発振動作を行わせる。
【００８５】
同時に抵抗Ｒ３６、ダイオードＤ４を介して、カウンタ回路２４の２段目のＤ−ＦＦ３８の反転出力Ｑ＊からの火災信号の出力を監視する。この状態でカウンタ回路２４の２カウントで火災信号の出力が行われて、Ｄ−ＦＦ３８の反転出力Ｑ＊がＨレベルからＬレベルに反転すると、抵抗Ｒ３６及びコンデンサＣ４０の遅延回路により所定時間後にＮＡＮＤシュミットトリガ４１の入力をＬレベルに引き込み、試験光源発振回路２７の発振動作を停止させる。
【００８６】
ここで試験制御回路２６に設けているタイマ４４でトランジスタＱ９をオンしている時間τ３は、抵抗Ｒ３４とコンデンサＣ１６の時定数で決まる時間であり、この所定時間τ３の間に、この実施形態にあっては最大で４つの試験発振パルスを必要とする。このためタイマ４４の所定時間τ３は、試験光源発振回路２７の発振周期τ２に必要な発振パルス数４を乗算した例えば３×８ｍｓ＝２４ｍｓ以上で且つ一連の試験動作に必要な時間以内とする。例えば
３０ｍｓ＜τ３＜５０ｍｓ
とする。
【００８７】
次に図７における遠隔試験時の動作を、試験発光とは非同期に行っている主光源の発光タイミングとの関係で説明する。
【００８８】
図８は、試験発光パルスに対し十分離れた位置で主発光パルスがあった場合の試験動作時のタイムチャートである。
【００８９】
図７の遠隔試験インタフェース回路１６が外部の試験器から試験コマンドを受信すると、図８（Ａ）のように試験信号Ｅ１をＬレベルからＨレベルに立ち上げる。試験信号Ｅ１がＨレベルに立ち上がると、試験制御回路２６のトランジスタＱ８がオンしてカウンタ回路２４のＤ−ＦＦ３７のクリア禁止を解除する。
【００９０】
またトランジスタＱ９のオンにより図８（Ｂ）のように所定時間τ＝３０ｍｓの間、タイマ４４をオンし、これによって試験光源発振回路２７が動作し、図８（Ｃ）のように周期Ｔ２でパルス幅ｔ２の試験発光パルスを発振し、試験光源駆動回路２８により試験光源ＬＥＤ２９を間欠的に発光駆動する。
【００９１】
このような試験発光パルスに対し、図８（Ｄ）のように主光源発振回路２５による主発光パルスは試験発光パルスから外れたタイミングでこの場合には得られている。
【００９２】
図８（Ｃ）の試験発光パルスは、試験光源駆動回路２８からカウンタ回路２４にダイオードＤ６を介して与えられ、Ｄ−ＦＦ３７，３８のクロック端子ＣＫに対するクロック入力となる。試験開始前において、カウンタ回路２４のＤ−ＦＦ３７，３８は共にクリア状態にある。
【００９３】
図８（Ｃ）の最初の試験発光パルスによる受光素子２３の試験光の受光で受光信号増幅回路２２よりＨレベル出力がＤ−ＦＦ３７に加わった状態で試験発光パルスによるクロックが加わると、データ入力端子ＤのＨレベルの信号状態をラッチし、図８（Ｅ）のように出力ＱをＬレベルからＨレベルに反転する。もちろん、このとき図８（Ｆ）のようにＤ−ＦＦ３７のクリア端子ＣＬＲは、クリア禁止を解除したＨレベルにある。
【００９４】
最初の試験発光パルスで１段目のＤ−ＦＦ３７が反転して出力ＱがＨレベルとなると、このＨレベル出力は第１遅延部３９で遅延されて２段目のＤ−ＦＦ３８のデータ入力端子Ｄに加わる。このため図８（Ｇ）のように、Ｄ−ＦＦ３８のデータ入力端子Ｄのレベルは第１遅延部３９の時定数τ４に従って上昇する。
【００９５】
ここで第１遅延部３９の時定数τ４は、試験発光パルスの周期Ｔ２より大きいため、２つ目の試験発光パルスがクロック入力として得られたときにＤ−ＦＦのデータ入力端子Ｄの信号レベルは、スレッショルドレベルＴＨに達せずに論理的にＬレベルにある。このため、２つ目の試験発光パルスによる受光信号が得られてもカウンタ回路２４は２カウント目のカウント動作を行わない。
【００９６】
２つ目の試験発光パルスのタイミングが過ぎると、第１遅延部３９による時定数τ４によってＤ−ＦＦ３８のデータ入力端子Ｄの信号レベルがスレッショルドレベルＴＨを越えて論理的にＨレベルとなる。このため、３つ目の試験発光パルスによる受光信号及びクロック入力によって、Ｄ−ＦＦ３８がデータ入力端子ＤのＨレベルの信号状態をラッチして出力ＱをＬレベルからＨレベルに反転し、同時に反転出力Ｑ＊をＨレベルからＬレベルに反転する。
【００９７】
このＤ−ＦＦ３８の出力ＱのＨレベル出力により火災信号出力回路１８のトランジスタＱ２，Ｑ１がオンし、信号線Ｌとコモン線Ｃ間に発報電流を流すことで火災信号を外部に送出し、また作動表示灯ＬＥＤ１を点灯する。
【００９８】
このとき第１遅延部３９のコンデンサＣ８は両端側共にＨレベルとなることから、瞬時に充電されてＤ−ＦＦ３８のデータ入力端子Ｄに対する信号レベルをＨレベルに立ち上げる。
【００９９】
Ｄ−ＦＦ３８の反転出力Ｑ＊がＨレベルからＬレベルに反転すると、このＬレベル出力は第２遅延部４０を介して１段目のＤ−ＦＦ３７のクリア端子ＣＬＲに加わる。即ち、３つ目の試験発光パルスによるＤ−ＦＦ３８の反転出力Ｑ＊のＬレベルの立ち下がりにより、第２遅延部のコンデンサＣ９の電荷が抵抗Ｒ１５を介して放電され、図８（Ｆ）のように１段目のＤ−ＦＦ３７のクリア端子ＣＬＲに加わるクリア入力が第２遅延部４０の時定数τ５に従って減少する。
【０１００】
この第２遅延部４０の出力となるクリア入力がスレッショルドレベルＴＨを下回ると、Ｄ−ＦＦ３７のクリア端子ＣＬＲは論理的にＬレベルとなってクリアが掛かり、Ｄ−ＦＦ３７がクリアされることで、その出力ＱがＨレベルからＬレベルに反転する。
【０１０１】
Ｄ−ＦＦ３７の出力ＱがＬレベルに立ち下がると、このＬレベル出力は第１遅延部３９を介してＤ−ＦＦ３８のデータ入力端子Ｄの入力レベルを時定数τ４に従って減少させる。そして図８（Ｇ）のようにスレッショルドレベルＴＨを下回ると論理的にＬレベルとなることで、クリア入力としてＤ−ＦＦ３８をクリアし、Ｄ−ＦＦ３８の出力ＱがＨレベルからＬレベルに、同時に反転出力Ｑ＊がＬレベルからＨレベルとなって初期状態に戻る。このため、火災信号出力回路１８のトランジスタＱ２，Ｑ１がオフして火災信号の出力を停止する。
【０１０２】
ここで図８（Ｆ）の第２遅延部４０によるクリアまでの遅延時間をＴｄ５、図８（Ｇ）の第１遅延部３９によるクリアまでの遅延時間をＴｄ４とすると、図８（Ｈ）のＤ−ＦＦ３８の出力ＱのＨレベル期間で決まる火災信号の出力時間Ｔ６は、２つの遅延時間を加えた
Ｔ６＝Ｔｄ５＋Ｔｄ４
となり、例えばＴ６＝２０ｍｓ程度の時間となる。
【０１０３】
このような遠隔試験時の感知器からのＴ６時間に亘る火災信号の出力に対し、外部に設けている試験器にあっては、例えば試験発光パルスの周期Ｔ２と同じ８ｍｓ以上の火災信号の受信で試験結果が正常と判断する。
【０１０４】
図９は、図７の実施形態において、遠隔試験による試験動作で２つ目の試験発光パルスの直後に主発光パルスが位置した場合のタイムチャートであり、図９（Ａ）〜（Ｉ）の各信号は図８と同じである。
【０１０５】
図９（Ｃ）の試験発光パルスに対し、図９（Ｄ）の主発光パルスが２つ目の試験発光パルスの直後のタイミングに位置したとする。この場合、主発光パルスによる発光時には煙による散乱光は受光素子２３に入射せず、受光信号増幅回路２２からカウンタ回路２４に対する受光信号は火災を検出していないＬレベルとなっている。
【０１０６】
このため、主発光パルスによるクロック入力で最初の試験発光パルスにより１カウントの動作を行った１段目のＤ−ＦＦ３７は、主発光パルスのときの受光信号Ｌレベルをラッチして、図９（Ｅ）のようにその出力ＱをＨレベルからＬレベルとするリセット動作を行う。
【０１０７】
このためＤ−ＦＦ３７のＱ出力は試験前と同じＬレベルにリセットされてしまう。このときの第１遅延部３９により遅延されて２段目のＤ−ＦＦ３８のデータ入力端子Ｄに加わる信号状態は図９（Ｇ）のようになる。即ち、最初の試験発光パルスによるＤ−ＦＦ３７の出力ＱのＨレベルへの立ち上がりで、Ｄ−ＦＦ３８のデータ入力端子Ｄの入力となる第１遅延部３９の出力は時定数τ４で増加するが、主発光パルスによるリセットで減少を始めることになり、この変化はスレッショルドレベルＴＨ以下で行われている。
【０１０８】
図９（Ｄ）の主発光パルスに続いて図９（Ｃ）の３つ目の試験発光パルスが得られると、図９（Ｅ）のように１段目のＤ−ＦＦ３７はＨレベルの受光信号とそのときのクロック入力で最初の試験発光パルスのときと同じように動作して、出力ＱをＬレベルからＨレベルとする。
【０１０９】
このため第１遅延部３９の遅延によって図９（Ｇ）のように、Ｄ−ＦＦ３８のデータ入力端子Ｄのレベルは途中から再び増加を始め、この場合には既に遅延による増加が進んでいることから、４番目の試験発光パルスのタイミングに至る前にスレッショルドレベルＴＨを越えてＤ−ＦＦのデータ入力端子Ｄの信号レベルがＨレベルとなる。
【０１１０】
したがって４つ目の試験発光パルスによる受光信号とクロック入力によってＤ−ＦＦ３８は図９（Ｈ）（Ｉ）のように出力ＱがＬレベルからＨレベルに反転し、同時に反転出力Ｑ＊がＨレベルからＬレベルに反転し、火災信号出力回路１８より外部に火災信号を送出する。このようにして火災信号を出力した後の復旧動作は図８の場合と同じになる。
【０１１１】
このように本発明のカウンタ回路２４にあっては、２つ目の試験発光パルスの直後のタイミングで主発光パルスが得られてカウンタリセットが行われても、この主パルスによるカウンタリセットの状態では火災信号の出力は行われていないため、単にカウンタ回路２４をリセットするに止まり、その後、試験発光パルスによる２カウントで正常に火災信号を出力することができる。
【０１１２】
図１０は、図７のカウンタ回路２４に設けている第１遅延部３９を除いた場合について、図９と同じタイミングで主発光パルスが得られたときの動作である。尚、図１０（Ａ）〜（Ｈ）にあっては、図１０（Ｅ）のＤ−ＦＦ３７の出力Ｑが第１遅延部３９を除いたことによって２段目のＤ−ＦＦ３８のデータ入力端子Ｄと同じになることから、図９の（Ｇ）に相当するタイムチャートは除いている。
【０１１３】
図１０にあっては、第１遅延部３９を持たないことから、図１０（Ｃ）の試験発光パルスの２つ目で図１０（Ｇ）のようにＤ−ＦＦ３８の出力がＬレベルからＨレベルに立ち上がり、火災信号の送出を開始している。
【０１１４】
この２つ目の試験発光パルスの直後に図１０（Ｄ）のように主発光パルスが位置すると、主発光パルスによって１段目のＤ−ＦＦ３７がクリアされて出力ＱがＬレベルとなり、第１遅延部３９がないことから、この出力ＱのＬレベルは２段目のＤ−ＦＦ３８のクリア端子ＣＬＲの入力となって、Ｄ−ＦＦ３８もクリアされ、図１０（Ｇ）のように主発光パルスのリセットでＤ−ＦＦ３８の出力ＱがＬレベルに戻る。
【０１１５】
このため、２つ目の試験発光パルスから主発光パルスまでの短い時間に亘る火災信号の送出が行われる。このような短時間の火災信号の送出に対し外部に設けている試験器は、例えば試験発光パルスの周期と同じ８ｍｓ以上の火災信号で正常試験結果を判断していることから、短すぎるために火災信号としては無視され、火災信号によって正常な試験結果を試験器が確認することができなくなる。
【０１１６】
続いて３つ目の試験発光パルスと４つ目の試験発光パルスにより主発光パルスによるリセット後のカウンタ回路２４による火災信号の出力が行われる。しかし、２つ目の火災信号が十分な時間幅を持っていても、外部の試験器にあっては最初に受信した火災信号について試験結果を判断しており、２つ目の火災信号は回路的に無視することから、この火災信号によって試験結果が確認されることはない。
【０１１７】
この図１０に示した第１遅延部３９を設けない場合の試験時の誤動作は、第１遅延部３９を設けた図９のタイムチャートのように解消され、２つ目の試験発光パルスの直後に主発光パルスが位置しても、試験器側で識別可能な十分な時間幅を持った火災信号を試験結果として送出することができる。
【０１１８】
図１１は、試験発光パルスに基づくカウンタ回路２４の２カウントで火災信号を出力中に、主発光パルスが位置した場合のタイムチャートである。この場合にあっては、図１１（Ｃ）のように３つ目の試験発光パルスによって、図１１（Ｈ）のように２段目のＤ−ＦＦ３８の出力ＱはＨレベルとなり、火災信号出力回路１８より外部に火災信号を出力している。
【０１１９】
この３つ目の試験発光パルスの直後に図１１（Ｄ）のように主発光パルスが得られたとすると、この主発光パルスによって１段目のＤ−ＦＦ３７が図１１（Ｅ）のようにリセットされ、出力ＱがＨレベルからＬレベルとなる。このため図１１（Ｇ）のように、第１遅延部３９の時定数τ４に従って２段目のＤ−ＦＦ３８のデータ入力端子Ｄ及びクリア端子ＣＬＲに対する遅延出力が減少を始め、スレッショルドレベルＴＨを下回ったときにＤ−ＦＦ３８をクリアし、火災信号の出力を停止する。
【０１２０】
しかしながら、火災信号出力中における主発光パルスは、主発光パルスによって図１１（Ｇ）のように第１遅延部３９による時定数τ４の遅延開始のタイミングが変わるだけであり、図１１（Ｈ）のＤ−ＦＦ３８の出力ＱのＨレベル期間で決まる火災信号の出力時間Ｔ６は、３つ目の試験発光パルスに主発光パルスが略一致したとしても、最低第１遅延部３９の遅延時間Ｔｄ４以上の十分な時間を持つ。
【０１２１】
このため、火災信号の出力中のタイミングで主発光パルスによるリセットが掛かっても、外部の試験器側で試験結果として識別可能な十分な時間幅を持った試験結果としての火災信号を送出することができる。
【０１２２】
尚、本発明は上記の実施形態に限定されず、その目的と利点を損なわない適宜の変形を含み、また上記の実施形態に示した数値による限定は受けない。
【０１２３】
【発明の効果】
以上説明してきたように本発明によれば、火災検出が行われている間だけ外部に火災信号を出力する自己復旧型の光電式煙感知器において、通常の火災監視に使用する主光源の発光タイミングと非同期に遠隔試験のための試験発光を行っても、問題なく所定の試験発光回数で試験器側で十分識別可能な時間幅を持つ火災信号を試験結果として送出することができ、試験発光に対する主発光パルスのタイミングによって外部の試験器で識別できないような火災信号を試験結果として出力してしまう問題を防止し、信頼性の高い遠隔試験ができる。
【０１２４】
また遠隔試験の際に主光源の発光停止で試験動作を禁止して異常を確認できるようにするため、主光源の発光状態をその近傍に配置したフォトトランジスタ等の監視用受光素子で検出して監視しており、従来の主光源の発光によるチャンバ内の散乱光の高利得増幅による監視に比べ、主光源発光監視のための回路構成が大幅に簡略化でき、安定した主光源の発光監視ができる。
【０１２５】
また２線式で光電式煙感知器の遠隔試験ができるため、従来の３線式の遠隔試験機能付きの煙感知器に比べ、感知器を使用する火災報知設備の設備コストを低減でき、また敷設の２線式の火災報知設備についても、試験のための中継器を新たに付けるだけで簡単に本発明の遠隔試験機能付きの光電式煙感知器に置き換えることができる。
【図面の簡単な説明】
【図１】本発明の光電式煙感知器が使用される火災報知システムのブロック図
【図２】図１で遠隔試験に使用する試験器の説明図
【図３】本発明による光電式煙感知器のブロック図
【図４】本発明による感知器構造の平面図
【図５】図４の発光部と受光部を取出して内部構造を示した説明図
【図６】図４のＡ−Ａ断面図
【図７】図３の主要部の回路構成を示した回路ブロック図
【図８】図７で試験発光と主発光のタイミングが十分にずれる場合の試験動作のタイムチャート
【図９】図７で２つ目の試験発光パルスの直後に主発光パルスが位置した場合の試験動作のタイムチャート
【図１０】図７で第１遅延部がなかった場合に２つ目の試験発光パルスの直後に主発光パルスが位置した時の試験動作のタイムチャート
【図１１】図７で３つ目の試験発光パルスの直後に主発光パルスが位置した時の試験動作のタイムチャート
【符号の説明】
１：受信機
２：中継器
３ａ，３ｂ：感知器回線
４ａ〜４ｎ：光電式煙感知器
５：終端器
６：試験器
７：実行スイッチ
８：表示部
９：通常試験表示灯
１０：試験結果表示灯
１１：選択スイッチ
１５：整流・ノイズ吸収回路
１６：遠隔試験インタフェース回路
１７：３Ｖ定電圧回路
１８：火災信号送出回路（自己復旧型）
１９：定電圧・電流制限回路
２０：主光源駆動回路
２１：主光源ＬＥＤ
２２：受光信号増幅回路
２３：受光素子（フォトダイオードＰＤ）
２４：カウンタ回路（蓄積回路）
２５：主光源発振回路
２６：試験制御回路
２７：試験光源発振回路
２８：試験光源駆動回路
２９：試験光源ＬＥＤ
３０：主光源発光監視回路
３１：監視受光素子（フォトトランジスタＰＴ）
３２：オア回路
３３：感知器本体
３４：発光部
３５：受光部
３６：検煙領域
３７：第１Ｄ−ＦＦ
３８：第２Ｄ−ＦＦ
３９：第１遅延部
４０：第２遅延部
４１，４３：NANDシュミットトリガ
４２：ＦＥＴ
４４：タイマ
【図１】
0003822395.tif 000002
【図２】
0003822395.tif 000003
【図３】
0003822395.tif 000004
【図４】
0003822395.tif 000005
【図５】
0003822395.tif 000006
【図６】
0003822395.tif 000007
【図７】
0003822395.tif 000008
【図８】
0003822395.tif 000009
【図９】
0003822395.tif 000010
【図１０】
0003822395.tif 000011
【図１１】
0003822395.tif 000012